(57)【要約】【課題】押縁を見込み方向に傾斜した状態から見込み方向に回動することで取り付け、取り外しできると共に、押縁と面材との間の面クリアランスを小さくできる建具とする。【解決手段】押縁３５を、本体４０、中間係合片４１、支持部４２、外側係合片４３を有するものとし、この押縁３５を取り付ける縦框３３を、前記中間係合片４１が係合する内側係受片５０、前記支持部４２を支持する支持受部５１、前記外側係合片４３が係合する外側係合受片５２を有するものとし、前記中間係合片４１と内側係合受片５０が係合した内側係合部６１と、前記外側係合片４３と外側係合受片５２が係合した外側係合部６２が見込み方向に揃った位置で、押縁３５の本体４０、外側係合片４３と縦框３３の支持受部５１、外側係合受片５２との間に空間６０を有していることで、押縁３５（本体４０）と面材３０ｂとの間の面クリアランスを小さくできるようにする。【選択図】図６
2014231715.tif 000002
【特許請求の範囲】
【請求項１】
枠体に面材を押縁を用いて装着した建具であって、
前記押縁は、面内方向に向かう本体及び、この本体の面材対向面に設けた中間係合片、支持部、外側係合片を備え、
前記押縁を取り付ける枠材は、前記中間係合片が係合する内側係合受片、前記支持部を支持する支持受部、前記外側係合片が係合する外側係合受片を備え、
前記中間係合片と内側係合受片が係合した内側係合部と、前記外側係合片と外側係合受片が係合した外側係合部は、見込み方向に揃った位置とし、
前記押縁の本体と前記枠材の外側係合受片が見込み方向に離隔して対向し、押縁の外側係合片と枠材の支持受部が面内方向に離隔して対向し、それらの間に空間を有していることを特徴とする建具。
【請求項２】
前記押縁の中間係合片は、本体の面内方向中間に面材に向けて設けた中間基片と、その中間基片の面材側に設けられた係合部である面内方向外側に向かう外向片を有し、
前記押縁の支持部は、本体の面材対向面の中間係合片よりも面内方向外側寄りに設けられ、
前記押縁の外側係合片は、本体の面内方向外側部に面材に向けて設けた外側基片と、その外側基片の面材側に設けられた係合部である面内方向内側に向かう内向片を有し、
前記枠材の内側係合受片は、中間係合片の係合部が係合する中間係合受部を有し、
前記枠材の支持受部は内側係合受片よりも面内方向外側に設けられ、前記支持部が接する受面を有し、
前記枠材の外側係合受片は、支持部の面内方向外側面における見込み方向面材側寄りに面内方向外側に向けて設けられ、前記外側係合片の係合部が係合する外側係合受部を有し、
前記外側係合片の外側基片の面内方向内側面と支持受部の面内方向外側面とが面内方向に離隔し、かつ本体の面材対向面と外側係合受片の室外側面とが見込み方向に離隔することで、前記空間を形成している請求項１記載の建具。
【請求項３】
前記内側係合受片の面内方向外側に支持受部が設けられ、その支持受部の受面と内側係合受片の室外側面がほぼ面一に面内方向に連続し、
前記内側係合受片の面内方向内側面と支持受部の面内方向外側面との間の面内方向寸法が、前記中間係合片の外向片と外側係合片の内向片との間の間隔よりも小さい請求項２記載の建具。
【発明の詳細な説明】
【技術分野】
【０００１】
本発明は、カーテンウォール、サッシ窓、障子などのように枠体内に面材を押縁を用いて装着した建具である。
【背景技術】
【０００２】
従来から枠体内に面材を装着した建具が種々提案されている。
例えば、特許文献１に開示したように、サッシ枠に開閉自在に取り付けた障子を、枠体内に面材を押縁を用いて装着したものとした建具が知られている。
この押縁は枠体の縦枠に図１に示すようにして取り付けられる。
つまり、押縁１は、面内方向に向かう本体２と、この本体２の面内方向中間部に設けた中間係合片３と、前記本体２における中間係合片３よりも面内方向外側寄りに設けた支持部４と、前記本体２における面内方向外側部に設けた外側係合片５を有している。
縦枠６は、内側係合受片７、支持受部８、外側係合受片９を有している。
そして、押縁１の中間係合片３が前記内側係合受片７に係合し、支持部４が支持受部８に接することで、押縁１は縦枠６に、室外側に向かう力（面材１０に負荷する負圧）が作用しても外れないように係合して取り付けてあると共に、押縁１は中間係合片３と内側係合受片７の係合部分を回動中心として室内外側方向に回動可能である。
押縁１の外側係合片５が外側係合受片９に係合し、押縁１は縦枠６に室内側に向かう力（面材に負荷する正圧）が作用しても外れないように取り付けてある。
【先行技術文献】
【特許文献】
【０００３】
【特許文献１】特開２０１０−２１６１４８号公報
【発明の概要】
【発明が解決しようとする課題】
【０００４】
図１に示す押縁１は、外側係合片５と外側係合受片９が係合する外側係合部１１が中間係合片３と内側係合受片７が係合する内側係合部１２よりも見込み方向室外側であるから、押縁１を縦枠６に取り付けるには、図２に実線で示すように押縁１（本体２）を見込み方向面材側に傾斜した状態とし、中間係合片３の外向片３ａを内側係合受片７の係合受突部７ａよりも見込み方向面材側に位置すると共に、支持部４を支持受部８よりも見込み方向室外側に位置するようにして中間係合片３が内側係合受片７に係合するようにする。
前述の状態で押縁１を矢印ａ方向に平行移動して図２に１点鎖線で示すように中間係合片３を内側係合受片７に係合する。
この後に、押縁１を、前述の中間係合片３と内側係合受片７の係合した内側係合部１２を回動中心として矢印ｂで示すように見込み方向室外側（面材１０と離間する方向）に向けて回動し、外側係合片５を外側係合受片７に係合すると共に、支持部４を支持受部８に押しつけて２点鎖線で示すように取付状態とする。
【０００５】
押縁１を縦枠６から取り外しするには、図２に２点鎖線で示す押縁１を矢印ｃで示すように前述の内側係合部１２を回動中心として本体２の面内方向内側部を面材側に向けて回動し、押縁１を１点鎖線で示すように面材側に傾斜した状態とする。
この状態で、１点鎖線で示す押縁１を矢印ｄ方向に平行に移動して実線で示すように中間係合片３を内側係合受部７から離脱して取り外しする。
【０００６】
前述のようにして押縁１を縦枠６に取り付け、取り外しするので、本体２の面材対向面２ａから中間係合片３の先端部までの距離Ｌ１が長く、面材１０と押縁１（本体２の面材対向面２ａ）との間の面クリアランスＬ２が大きくなる。
このために、障子の見込み寸法が大きくなる。
【０００７】
本発明は前述の課題を解決するためになされたものであり、その目的は、押縁を見込み方向に傾斜した状態から見込み方向に回動することで取り付け、取り外しできると共に、押縁と面材との間の面クリアランスを小さくできるようにした建具とすることである。
【課題を解決するための手段】
【０００８】
本発明は、枠体に面材を押縁を用いて装着した建具であって、
前記押縁は、面内方向に向かう本体及び、この本体の面材対向面に設けた中間係合片、支持部、外側係合片を備え、
前記押縁を取り付ける枠材は、前記中間係合片が係合する内側係合受片、前記支持部を支持する支持受部、前記外側係合片が係合する外側係合受片を備え、
前記中間係合片と内側係合受片が係合した内側係合部と、前記外側係合片と外側係合受片が係合した外側係合部は、見込み方向に揃った位置とし、
前記押縁の本体と前記枠材の外側係合受片が見込み方向に離隔して対向し、押縁の外側係合片と枠材の支持受部が面内方向に離隔して対向し、それらの間に空間を有していることを特徴とする建具である。
【０００９】
本発明の建具においては、前記押縁の中間係合片は、本体の面内方向中間に面材に向けて設けた中間基片と、その中間基片の面材側に設けられた係合部である面内方向外側に向かう外向片を有し、
前記押縁の支持部は、本体の面材対向面の中間係合片よりも面内方向外側寄りに設けられ、
前記押縁の外側係合片は、本体の面内方向外側部に面材に向けて設けた外側基片と、その外側基片の面材側に設けられた係合部である面内方向内側に向かう内向片を有し、
前記枠材の内側係合受片は、中間係合片の係合部が係合する中間係合受部を有し、
前記枠材の支持受部は内側係合受片よりも面内方向外側に設けられ、前記支持部が接する受面を有し、
前記枠材の外側係合受片は、支持部の面内方向外側面における見込み方向面材側寄りに面内方向外側に向けて設けられ、前記外側係合片の係合部が係合する外側係合受部を有し、
前記外側係合片の外側基片の面内方向内側面と支持受部の面内方向外側面とが面内方向に離隔し、かつ本体の面材対向面と外側係合受片の室外側面とが見込み方向に離隔することで、前記空間を形成することができる。
【００１０】
本発明の建具においては、前記内側係合受片の面内方向外側に支持受部が設けられ、その支持受部の受面と内側係合受片の室外側面がほぼ面一に面内方向に連続し、
前記内側係合受片の面内方向内側面と支持受部の面内方向外側面との間の面内方向寸法が、前記中間係合片の外向片と外側係合片の内向片との間の間隔よりも小さくすることができる。
【発明の効果】
【００１１】
本発明によれば、押縁を枠材に、その押縁を見込み方向に傾斜した状態から見込み方向に回動することで取り付け、取り外しできると共に、押縁と面材との間のクリアランスを小さくできる。
【図面の簡単な説明】
【００１２】
【図１】従来例の押縁部分の横断面図である。
【図２】従来例の押縁取り付け動作説明図である。
【図３】本発明の実施の形態を示す可動サッシ窓の概略外観図である。
【図４】図３の詳細縦断面図である。
【図５】図３の詳細横断面図である。
【図６】図５の押縁取付部分の拡大図である。
【図７】押縁の斜視図である。
【図８】縦框の室外側部の斜視図である。
【図９】押縁の取り付け動作説明図である。
【図１０】押縁の取り付け動作説明図である。
【図１１】押縁の取り付け動作説明図である。
【図１２】押縁の取り付け動作説明図である。
【図１３】上框と縦框の連結部の斜視図である。
【図１４】縦の押縁の上部にキャップを取り付けた状態の上框と縦框の連結部の斜視図である。
【発明を実施するための形態】
【００１３】
図３に示すように、枠２０に障子３０を開閉自在に取り付けて可動サッシ窓としてある。
障子３０は障子枠３０ａにガラスなどの面材３０ｂを装着してある。
障子枠３０ａは上框３１と下框３２と左右の縦框３３，３３を方形状に連結したもので、障子３０が本発明の建具で、障子枠３０ａが枠体、上框３１、下框３２、縦框３３が枠材である。
【００１４】
図４に示すように、上框３１は、その見込み方向室外側寄りに下向きの面材装着用凹部３１ａを有し、その面材装着用凹部３１ａに面材３０ｂの上縁部を挿入し、上横室内側シール材３１ｂ、上横室外側シール材３１ｃで面材３０ｂの上縁部を支持している。
下框３２と、その下框３２の見込み方向室外側部に取り付けた下横の押縁３４とで上向きの面材装着用凹部３２ａを形成し、その面材装着用凹部３２ａに面材３０ｂの下縁部を挿入し、下横室内側シール材３２ｂ、下横室外側シール材３２ｃで面材３０ｂの下縁部を支持している。
【００１５】
図５に示すように、縦框３３と、その縦框３３の見込み方向室外側部に取り付けた縦の押縁３５とで面内方向内側に開口した内向きの面材装着用凹部３３ａを形成し、この内向きの面材装着用凹部３３ａに面材３０ｂの縦縁部を挿入し、縦室内側シール材３３ｂと縦室外側シール材３３ｃとで面材３０ｂの縦縁部を支持している。
この縦の押縁３５が本発明の建具における面材を装着するための押縁である。
【００１６】
縦の押縁３５は図６及び図７に示すように、面内方向に向かう本体４０と、この本体４０の面内方向中間部に設けた中間係合片４１と、前記本体４０における中間係合片４１よりも面内方向外側寄りに設けた支持部４２と、前記本体４０における面内方向外側部に設けた外側係合片４３を有している。
【００１７】
中間係合片４１は、本体４０の見込み方向室内側面である面材対向面４０ａに見込み方向面材側（室内側）に向けて突出して設けた中間基片４１ａと、この中間基片４１ａの見込み方向面材側端に面内方向外側に向けて設けた外向片４１ｂとを有し、その外向片４１ｂの見込み方向の室外側面が係合部４１ｃである。
中間基片４１ａの見込み方向寸法に比べて外向片４１ｂの面内方向寸法は小さく、中間係合片４１は略Ｊ字形状である。
【００１８】
支持部４２は、本体４０の面材対向面４０ａよりもわずかに見込み方向面材側（室内側）に向けて突出した突起である。
【００１９】
外側係合片４３は、本体４０の面材対向面４０ａの面内方向外側部に見込み方向面材側に向けて突出して設けた外側基片４３ａと、この外側基片４３ａの見込み方向面材側端に面内方向内側に向けて設けた内向片４３ｂとを有し、その内向片４３ｂの先端部が外向きに傾斜した係合部４３ｃである。
外側基片４３ａの見込み方向寸法に比べて内向片４３ｂの面内方向寸法は小さく、外側係合片４３は略Ｌの字形状である。
【００２０】
本体４０の面材対向面４０ａ及び見込み方向の室外側面４０ｂは面内方向に渡って連続した平坦面である。
中間係合片４１の外向片４１ｂと外側係合片４３の内向片４３ｂは本体４０の見込み方向に略同一位置で、間隔Ｈ１を置いて面内方向に相対向している。
本体４０の面材対向面４０ａにおける支持部４２と外側係合片４３との間に凹部４０ａ−１が形成してある。
【００２１】
図６及び図８に示すように、縦框３３の見込み方向の室外側部には、中間係合片４１が係合する内側係合受片５０と、支持部４２を支持する支持受部５１と、外側係合片４３が係合する外側係合受片５２を有している。
内側係合受片５０は面内方向に向かい、その見込み方向の面材側面５０ａの面内方向内側部が中間係合受部５０ｂで、その中間係合受部５０ｂに中間係合片４１の係合部４１ｃが係合する。
【００２２】
支持受部５１は、内側係合受片５０の面内方向外側に一体に設けられ、支持部４２の突出面（面材側面）４２ａが当接する見込み方向の室外側面である受面５１ａを有している。
この受面５１ａは内側係合受片５０の見込み方向の室外側面５０ｃと面一に面内方向に連続している。
【００２３】
外側係合受片５２は支持受部５１の面内方向外側面５１ｂにおける見込み方向面材側寄りに、面内方向外側に向けて設けられ、外側係合受片５２は支持受部５１（受面５１ａ）よりも見込み方向面材側に位置している。
外側係合受片５２の面内方向外側面５２ａの室外側部が内向きに傾斜した外側係合受部５２ｂで、この外側係合受部５２ｂと内側係合受片５０の中間係合受部５０ｂとは見込み方向にほぼ同一位置で、外側係合受部５２ｂに外側係合片４３の係合部４３ｃが係合する。
【００２４】
内側係合受片５０の面内方向内側面５０ｄと支持受部５１の面内方向の室外側面５１ｂとの間の面内方向寸法Ｈ２は、中間係合片４１の外向片４１ｂと外側係合片４３の内向片４３ｂとの間の面内方向の間隔Ｈ１よりも小さい。
【００２５】
この実施の形態では、内側係合受片５０の面内方向内側面５０ｄと縦框３３の見込み方向の室外側部の面内方向内側面３３ａとの境目に面内方向内側に開口した凹陥部５３が形成され、両方の面内方向内側面５０ｄ，３３ａは面一に連続している。面一とは面内方向に同一位置の場合と、略同一位置の場合を含むものとする。
【００２６】
つまり、この実施の形態では縦框３３の見込み方向の室外側部の室外側寄り部分が、面内方向外側に向かう外向部３３ｂ、この外向部３３ｂの面内方向外側端に見込み方向室外側に向けて設けた見込み部３３ｃ、この見込み部３３ｃの見込み方向室外側端に面内方向内側に向けて設けた内向部３３ｄとで面内方向内側に開口した凹陥部５３を有したほぼＣの字形状で、その見込み部３３ｃの面内方向外側面に外向きの突起部３３ｅを有している。
そして、内向部３３ｄの面内方向内側部分が内側係合片５０で、内向部３３ｄの面内方向外側部分が支持部５１で、外向きの突起部３３ｅが外側係合受片５２である。
【００２７】
なお、凹陥部５３を形成せずに内側係合受片５０が縦框３３の見込み方向室外側部の面内方向内側面３３ａよりも面内方向内側に向けて突出するようにしても良い。
【００２８】
次に、縦の押縁３５を縦框３３の見込み方向室外側部に取り付ける動作を説明する。
図９に示すように、縦框３３の見込み方向室外側から縦の押縁３５を、その本体４０が面材３０ｂと略平行として中間係合片４１の外向片４１ｂと外側係合片４３の内向片４３ｂとを縦框３３の内側係合受片５０と支持受部５１との間に挿入し、矢印ｅで示すように見込み方向面材側に傾斜しながら矢印ｆで示すように見込み方向面材側に移動し、図１０に示すように、中間係合片４１の外向片４１ｂの係合部４１ｃが内側係合受片５０の見込み方向の面材側面５０ａの中間係合受部５０ｂに係合可能で、外側係合片４３の内向片４３ｂが外側係合受片５２の見込み方向室外側面５２ｃに接した姿勢とする。
【００２９】
この状態で、縦の押縁３５を矢印ｇで示すように斜め室外側に向けて平行移動し、図１１に示すように中間係合片４１の外向片４１ｂの係合部４１ｃを内側係合受片５０の見込み方向面材側面５０ａの中間係合受部５０ｂに係合する。
この状態で、支持受部５１の面内方向外側面５１ｂ、外側支持片５２の見込み方向室外側面５２ｃと縦の押縁３５の本体４０の面材対向面４０ａ（４０ａ−１）、外側係合片４３の外側基片４３ａの面内方向内側面４３ａ−１との間に面内方向寸法及び見込み方向寸法が大きな空間６０が形成されて押縁３５が回動できるようになっている。
【００３０】
図１１に示す状態から、中間係合片４１の係合部４１ｃと内側係合受片５０の中間係合受部５０ｂが係合した内側係合部６１を支点として縦の押縁３５を矢印ｈで示すように見込み方向面材側に向けて回動し、図１２に示すように支持部４２の面材側面４２ａを支持受部５１の受面５１ａに接すると共に、外側係合片４３の内向片４３ｂの係合部４３ｃを外側係合受片５２の外側係合受部５２ｂに係合することで縦の押縁３５を縦框３３の見込み方向の室外側部に取り付ける。
【００３１】
図１２に示すように縦の押縁３５を縦框３３に取り付けることで、中間係合片４１の係部４１ｃと内側係合受片５０の中間係合受部５０ｂが係合した内側係合部６１と、外側係合片４３の係合部４３ｃと外側係合受片５２の外側係合受部５２ｂが係合した外側係合部６２が見込み方向に揃ったほぼ同一位置で、縦の押縁３５と縦框３３との間には前述した空間６０が形成される。
【００３２】
このようであるから、縦の押縁３５の本体４０の面材対向面４０ａから中間係合片４１の先端部（外向片４１ｂ）までの距離Ｌ１を従来と比べて短くすることができ、図６に示すように面材３０ｂと縦の押縁３５（本体４０の面材対向面４０ａ）との間の面クリアランスＬ２を小さくできるから、障子の見込み寸法を小さくできる。
【００３３】
縦の押縁３５を縦框３３から取り外しする場合には、前述の空間６０に尖端形状の工具を差し入れ、その工具を外側係合受片５２の室外側面５２ｃを支点として縦の押縁３５をこじることで、外側係合片４３の係合部４３ｃを外側係合受片５２の外側係合受部５２ｂから離脱し、以下図１１乃至図９の順番で操作して取り外しする。なお、縦の押縁３５の取り外しは、工具を用いず、縦の押縁３５の本体４０上部に孔（図示せず）を開けていて、手で外向きに反らせて外しても良い。
【００３４】
この実施の形態では、縦框３３の室外側部に凹陥部５３を形成することで、その縦框３３の室内方向内側面３３ａと内側係合受片５０の面内方向内側面５０ｄを面一としたから、中間係合片４１が縦框３３の面内方向内側面３３ａに接近し、本体４０の縦框３３の面内方向内側面３３ａからの面内方向内側への突出寸法を小さくできる。
したがって、面材３０ｂを縦框３３の面内方向内側面３３ａに接近することができる。
【００３５】
図１３に示すように、縦框３３の上端部分を上框３１の形状に合わせて切断し、縦框３３の面内方向内側面に横框３１の長手方向端面を突き当て、縦框３３からビス３６を上框３１に螺合して縦框３３と上框３１を連結してあるので、縦の押縁３５と縦框３３との間に形成した空間６０が縦框３３の上端まで連続し、雨水等が空間６０に入り込む虞がある。
なお、縦の押縁３５の本体４０及び中間係合片４１の上框３１と干渉する上端部は切り欠き除去してある。
【００３６】
そこで、図１４に示すように縦の押縁３５の上端部にキャップ３７を取り付け、このキャップ３７で空間６０を閉塞して雨水等が入り込まないようにしていると共に、安全のため上端面の切り欠き端面を覆い隠すようにしてある。
キャップ３７は、縦の押縁３５の外側係合片４３と本体４０の面内方向外側端部を覆う本体３５ａと、この本体３５ａの上部に設けられ本体４０の残りの部分を覆う面内方向に向かう横向片３５ｂを有し、その本体３５ａに設けた図示しない取付突片を空間６０の上部に嵌合して取り付ける。
【００３７】
図４に示す下框３２に取り付けた下横の押縁３４を前述の縦の押縁３５と同様にしても良いし、上框３１に前述の縦の押縁３５と同様の押縁を取り付けることもできる。
また、枠２０に面材を押縁を用いて装着する嵌め殺しのサッシ窓に前述の縦の押縁３５を取り付けて建具とすることもできる。
【符号の説明】
【００３８】
３０…障子枠（枠体）、３０ｂ…面材、３３…縦框（枠材）、３５…縦の押縁（押縁）、４０…本体、４１…中間係合片、４１ａ…中間基片、４１ｂ…外向片、４１ｃ…係合部、４２…支持部、４３…外側係合片、４３ａ…外側基片、４３ｂ…内向片、４３ｃ…係合部、５０…内側係合受片、５０ｂ…中間係合受部、５１…支持受部、５１ａ…受面、５１ｂ…面内方向外側面、５２…外側係合受片、５２ｂ…外側係合受部、５３…凹陥部、６０…空間、６１…内側係合部、６２…外側係合部。
【図１】
2014231715.tif 000003
【図２】
2014231715.tif 000004
【図３】
2014231715.tif 000005
【図４】
2014231715.tif 000006
【図５】
2014231715.tif 000007
【図６】
2014231715.tif 000008
【図７】
2014231715.tif 000009
【図８】
2014231715.tif 000010
【図９】
2014231715.tif 000011
【図１０】
2014231715.tif 000012
【図１１】
2014231715.tif 000013
【図１２】
2014231715.tif 000014
【図１３】
2014231715.tif 000015
【図１４】
2014231715.tif 000016